【手続補正書】
【提出日】平成17年5月24日(2005.5.24)
【手続補正１】
【補正対象書類名】特許請求の範囲
【補正対象項目名】全文
【補正方法】変更
【補正の内容】
【特許請求の範囲】
【請求項１】
目標エリアが物理的サイトにおいて画像捕捉システムにより得られる画像ストリーム内に含まれる持続時間の算出方法であって、
目標エリアが含まれる画像ストリームの少なくとも１つのフィールドを解析するステップであって、目標エリアは、物理的サイトにおける物理的対応物がない物理的サイトのコンピュータ・モデルにより画定される仮想表面に対応するステップと、
目標エリアが少なくとも１つのフィールド内に含まれることを確認したらカウンタを自動的に増分するステップと、
を含む前記方法。
【請求項２】
請求項１記載の方法であって、さらに、目標エリアの閉塞パラメータを算出するステップを含む前記方法。
【請求項３】
請求項１記載の方法であって、料金は、カウンタに応答して計算される前記方法。
【請求項４】
請求項２記載の方法であって、閉塞パラメータは、目標エリアの閉塞のピクセル・カウントおよび目標エリアのピクセル・カウントに応答して計算される前記方法。
【請求項５】
請求項４記載の方法であって、閉塞パラメータは、目標エリアの閉塞のピクセル・カウントに対する閉塞のピクセル・カウントの比である前記方法。
【請求項６】
請求項２記載の方法であって、カウンタは、閉塞パラメータを１から減じた数値的結果により増分される前記方法。
【請求項７】
請求項１記載の方法であって、さらに、目標エリアの前景パラメータを計算するステップを含む方法。
【請求項８】
目標エリアが画像捕捉システムにより得られる画像ストリーム内に含まれる持続時間の算出方法であって、
目標エリアが含まれる画像ストリームの少なくとも１つのフィールドを解析するステップと、
目標エリアが少なくとも１つのフィールド内に含まれることを確認したらカウンタを自動的に増分するステップと、
を含み、
前景パラメータは、目標エリアのピクセル・カウントおよび少なくとも１つのフィールドのピクセル・カウントに応答して計算される前記方法。
【請求項９】
請求項８記載の方法であって、前景パラメータは、少なくとも１つのフィールドのピクセル・カウントに対する目標エリアのピクセル・カウントの比である前記方法。
【請求項１０】
請求項７記載の方法であって、カウンタは、前景パラメータの計算された値と等価である増分だけ増分される前記方法。
【請求項１１】
請求項２記載の方法であって、さらに、閉塞閾値を規定するステップを含み、閉塞閾値が閉塞パラメータを超える場合にカウンタへの増分が不許可となる前記方法。
【請求項１２】
請求項１記載の方法であって、さらに、
目標エリアに挿入される画像データを割り当てるステップと、
画像ストリームに含まれる第２の目標エリアに画像データを再割当てするステップとを含む前記方法。
【請求項１３】
請求項１２記載の方法であって、第２の目標エリアに画像データを再割当てするステップは、さらに、画像ストリームが取り込まれる時に画像データを第２の目標エリアに再割当てするステップを含む前記方法。
【請求項１４】
請求項１２記載の方法であって、さらに、
画像ストリームが取り込まれる前に画像データが画像ストリームに含まれる持続時間を指定するステップと、
画像データを再割当てする前に画像ストリームが取り込まれる時に目標エリアおよび第２の目標エリアからなるグループの少なくとも１つが画像ストリームに含まれる持続時間を示す統計データを収集するステップと、
を含む前記方法。
【請求項１５】
目標エリアが画像捕捉システムにより得られる画像ストリーム内に含まれる持続時間の算出方法であって、
目標エリアが含まれる画像ストリームの少なくとも１つのフィールドを解析するステップと、
目標エリアに挿入される画像データを割り当てるステップと、
目標エリアが少なくとも１つのフィールド内に含まれることを確認したらカウンタを自動的に増分するステップと、
画像ストリームが取り込まれる前に画像データが画像ストリームに含まれる持続時間を指定するステップと、
画像ストリームに含まれる第２の目標エリアに画像データを再割当てするステップと、
画像データを再割当てする前に画像ストリームが取り込まれる時に目標エリアおよび第２の目標エリアからなるグループの少なくとも１つが画像ストリームに含まれる持続時間を示す統計データを収集するステップと、
を含み、
第２の目標エリアに画像データを再割当てするステップは、さらに、第２の目標エリアが目標エリアよりも長い画像ストリームに含まれる持続時間を有することを示す統計データに応答して画像データを第２の目標エリアに再割当てするステップを含む前記方法。
【請求項１６】
請求項１２記載の方法であって、さらに、第１の目標エリアに関連するカウンタへの各増分を第２の目標エリアに関連する第２のカウンタへの増分と合計して画像データが画像ストリームに含まれる持続時間を計算するステップを含み、合計された増分は、画像データが目標エリアおよび第２の目標エリアの１つ又はそれ以上にそれぞれに割り当てられる時に行われる目標エリアへの各増分に制限される前記方法。
【請求項１７】
目標エリアが物理的サイトの画像ストリームに含まれる持続時間を算出するシステムであって、
画像ストリームが取り込まれるサイトからの目標エリアのモデルであって、目標エリアは、モデルにより仮想的に画定され、サイトの物理的要素に対応しないモデルと、
目標エリアが画像ストリームの少なくとも１つのフィールドに含まれることを識別する持続時間算出モジュールであって、目標エリアが少なくとも１つのフィールドに含まれること確認されると増分されるカウンタを含む前記モジュールとを含み、
目標エリアは、サイトが画像ストリームに含まれているときに少なくとも１つのフィールドに含まれる前記システム。
【請求項１８】
請求項１７記載のシステムであって、さらに、
画像ストリームの複数のフィールドの中の少なくとも１つに目標画像を挿入する画像挿入システムであって、持続時間算出モジュールと通信する画像挿入システムと、
画像測定システムに画像を提供する画像捕捉システムであって、画像供給システムは、画像挿入システムと通信する画像捕捉システムとを含む前記システム。
【請求項１９】
請求項１７記載のシステムであって、持続時間算出モジュールは、画像挿入システムに含まれる前記システム。
【請求項２０】
請求項１７記載のシステムであって、画像測定システムは、さらに、
画像供給システムに含まれるカメラの既知の位置からサイト内の目標エリアの予め定められた三次元基準モデルに基づいて合成画像を発生するモデル・レンダラであって、合成画像は、目標エリアに挿入された目標画像を有するモデル・レンダラと、
カメラにより発生された映像信号のフレーム内に含まれるビデオ画像から目標エリアをマスクしてマスクされた背景画像を生成する画像セパレータであって、マスクされた基準画像は、基準画像を画像の残りから分離することにより画像セパレータにより生成される画像セパレータと、
マスクされた目標エリア画像をマスクされた基準画像と比較動作する閉塞セパレータであって、その差は、目標画像の閉塞を表す閉塞セパレータと、
を含む前記システム。
【請求項２１】
請求項２０記載のシステムであって、モジュールは、画像セパレータから得られた情報から閉塞パラメータを計算する前記システム。
【請求項２２】
請求項２１記載のシステムであって、閉塞パラメータは、目標画像のピクセル・カウントに対する閉塞のピクセル・カウントの比として計算される前記システム。
【請求項２３】
請求項２１記載のシステムであって、カウンタの増分は、閉塞パラメータの関数である前記システム。
【請求項２４】
請求項２０記載のシステムであって、モジュールは、画像挿入システムから得られた情報から前景パラメータを計算する前記システム。
【請求項２５】
請求項２３記載のシステムであって、さらに、マスクされた背景画像および閉塞から最終画像を作り出す画像コンバイナを含み、モジュールは、画像セパレータからの目標エリアのピクセル・カウントおよび画像コンバイナからの最終画像のピクセル・カウントを得、前景パラメータは、目標エリアのピクセル・カウントおよび最終画像のピクセル・カウントから計算される前記システム。
【請求項２６】
請求項２３記載のシステムであって、増分は、前景パラメータの関数である前記システム。
【請求項２７】
請求項２０記載のシステムであって、閉塞パラメータが閉塞閾値を超えるとき、カウンタへの増分は、不許可となる前記システム。
【請求項２８】
請求項２０記載のシステムであって、目標エリアは、画像ストリームが取り込まれたサイトに存在するシグネージおよびサイトに存在しない合成画像からなるグループから選択された画像データを含む前記システム。
【請求項２９】
請求項２０記載のシステムであって、さらに、
画像ストリームが取り込まれる第２のサイトからの目標エリアのモデルと、
第２のサイトからの目標エリアが画像ストリームの少なくとも１つのフィールドに含まれることを識別する持続時間算出モジュールであって、前記モジュールは、目標エリアが少なくとも１つのフィールドに含まれることを確認したら増分されるカウンタを含み、
第２のサイトが画像ストリームに含まれる時に第２のサイトからの目標エリアは、少なくとも１つのフィールドに含まれる持続時間算出モジュールとを含む前記システム。
【請求項３０】
カメラにより物理的サイトから撮られた画像ストリームに含まれた目標エリアの存在および持続時間を示すパラメータを決定する装置であって、前記装置は、
画像ストリーム内の目標エリアを同定するモジュールであって、モジュールは、物理的サイトの三次元コンピュータ・モデル、物理的サイト内の目標エリアおよびサイトに対するカメラの位置を参照して目標を同定し、物理的サイトのコンピュータ・モデルは、サイト内の表面のすべての完全なモデル以下に構成されるモジュールと、
目標エリアが画像ストリーム内にある時間長をトラッキングするモジュールと、
画像ストリームに存在するときに目標エリアの前景閉塞を決定するモジュールと、
目標が画像ストリーム内にある時間量および目標エリアの前景閉塞に基づきパラメータを決定するモジュールと、
を含む前記装置。
【請求項３１】
請求項３０記載の装置であって、目標エリアは、サイトに対応する物理的要素がない三次元モデルで画定される仮想表面に対応する前記装置。